(57)【要約】【課題】画質の低下を抑制しつつインクの消費量を削減することができる印刷装置を提供する。【解決手段】第１画像内の一部の領域である重要領域を決定する決定部１１０と、重要領域に基づいて第１画像を処理して第２画像を生成する画像処理部１２０と、第２画像を印刷する印刷部１３０と、を備え、第１画像の濃度に対する第２画像の濃度の比率を示す濃度係数は、重要領域内の画素の方が重要領域外の画素よりも大きく、重要領域外の第１画素の濃度係数は、第１画素よりも重要領域から離れて位置する第２画素の濃度係数よりも大きい。【選択図】図１
2018182454.tif 000002
【特許請求の範囲】
【請求項１】
第１画像内の一部の領域である重要領域を決定する決定部と、
前記重要領域に基づいて前記第１画像を処理して第２画像を生成する画像処理部と、
前記第２画像を印刷する印刷部と、を備え、
前記第１画像の濃度に対する前記第２画像の濃度の比率を示す濃度係数は、前記重要領域内の画素の方が前記重要領域外の画素よりも大きく、
前記重要領域外の第１画素の濃度係数は、前記第１画素よりも前記重要領域から離れて位置する第２画素の濃度係数よりも大きい、
印刷装置。
【請求項２】
前記画像処理部は、
（i）前記重要領域内の画素の濃度係数を予め定められた第１濃度係数に決定し、
（ii）前記重要領域外の画素であって前記第１画像の境界部に位置する画素の濃度係数を、前記第１濃度係数よりも小さい予め定められた第２濃度係数に決定し、
（iii）前記第１濃度係数と前記第２濃度係数とを用いて補間を行うことにより前記重要領域外の他の画素の濃度係数を決定し、
（iv）決定された前記濃度係数に基づいて前記第１画像内の各画素の濃度を変換することにより前記第２画像を生成する、
請求項１に記載の印刷装置。
【請求項３】
前記画像処理部は、前記決定部が前記重要領域を複数決定した場合に、
（i）複数の重要領域の各々について、
（i-1）前記重要領域内の画素の濃度係数を予め定められた第１濃度係数に仮決定し、
（i-2）前記重要領域外の画素であって前記第１画像の境界部に位置する画素の濃度係数を、前記第１濃度係数よりも小さい予め定められた第２濃度係数に仮決定し、
（i-3）仮決定された前記第１濃度係数と前記第２濃度係数とを用いて補間を行うことにより前記重要領域外の他の画素の濃度係数を仮決定し、
（ii）前記複数の重要領域内の画素の濃度係数を前記第１濃度係数に決定し、
（iii）前記複数の重要領域外の画素であって前記第１画像の境界部に位置する画素の濃度係数を前記第２濃度係数に決定し、
（iv）前記複数の重要領域外の他の各画素の濃度係数を、当該画素の仮決定された複数の濃度係数に基づいて決定し、
（v）決定された前記濃度係数に基づいて前記第１画像内の各画素の濃度を変換することにより前記第２画像を生成する、
請求項１に記載の印刷装置。
【請求項４】
前記画像処理部は、前記重要領域が前記第１画像の少なくとも１つの境界線に接している場合に、前記第１画像の残りの境界線に隣接する画素の濃度係数を前記第２濃度係数に決定する、
請求項２又は３に記載の印刷装置。
【請求項５】
前記印刷装置は、第１濃度係数及び第２濃度係数のセットがそれぞれ対応付けられた複数の削減モードを有し、
前記決定部は、前記複数の削減モードのうちの現在の削減モードに対応する第１濃度係数及び第２濃度係数のセットを用いて、前記重要領域内及び前記重要領域外の画素の濃度係数を決定する、
請求項２〜４のいずれか１項に記載の印刷装置。
【請求項６】
前記決定部は、
前記第１画像のインクの消費量に対する前記第２画像のインクの消費量の削減率が予め定められた目標削減率以上であるか否かを判定し、
前記削減率が前記目標削減率未満である場合、前記重要領域を修正する、
請求項１〜５のいずれか１項に記載の印刷装置。
【請求項７】
前記印刷装置は、前記第１画像とともに前記第１画像の一部の領域を他の領域と区別して表示する表示部を備え、
前記決定部は、表示された前記領域を前記重要領域に決定する、
請求項６に記載の印刷装置。
【請求項８】
第１画像内の一部の領域である重要領域を決定する決定ステップと、
前記重要領域に基づいて前記第１画像を処理して第２画像を生成する画像処理ステップと、
前記第２画像を印刷する印刷ステップと、を含み、
前記第１画像の濃度に対する前記第２画像の濃度の比率を示す濃度係数は、前記重要領域内の画素の方が前記重要領域外の画素よりも大きく、
前記重要領域外の第１画素の濃度係数は、前記第１画素よりも前記重要領域から離れて位置する第２画素の濃度係数よりも大きい、
印刷方法。
【発明の詳細な説明】
【技術分野】
【０００１】
本発明は、インクの消費量を削減することができる印刷装置及び印刷方法に関する。
【背景技術】
【０００２】
従来、印刷された画像の画質の低下を抑制しつつ、インクの消費量を削減するための技術が提案されている。例えば、特許文献１では、黒色の領域のインクの削減量を他の色の領域のインクの削減量より大きくすることにより、画質の低下を抑制しつつインクの消費量を削減する方法が開示されている。
【先行技術文献】
【特許文献】
【０００３】
【特許文献１】特開２０１１−１３５５５８号公報
【発明の概要】
【発明が解決しようとする課題】
【０００４】
しかしながら、上記従来の技術では、画像に黒色の領域が含まれていなければ効果を得ることができない。
【０００５】
そこで、本発明は、画質の低下を抑制しつつインクの消費量を削減することができる印刷装置及び印刷方法を提供する。
【課題を解決するための手段】
【０００６】
本発明の一態様に係る印刷装置は、第１画像内の一部の領域である重要領域を決定する決定部と、前記重要領域に基づいて前記第１画像を処理して第２画像を生成する画像処理部と、前記第２画像を印刷する印刷部と、を備え、前記第１画像の濃度に対する前記第２画像の濃度の比率を示す濃度係数は、前記重要領域内の画素の方が前記重要領域外の画素よりも大きく、前記重要領域外の第１画素の濃度係数は、前記第１画素よりも前記重要領域から離れて位置する第２画素の濃度係数よりも大きい。
【０００７】
これによれば、重要領域内の画素の濃度係数を重要領域外の画素の濃度係数よりも大きくすることができる。したがって、重要領域の濃度の低下を抑制しつつ、画像全体として濃度を低減することができる。その結果、重要領域の画質の低下を抑制しつつ画像全体におけるインクの消費量を削減することができる。さらに、重要領域外の第１画素の濃度係数を第１画素よりも重要領域から離れて位置する第２画素の濃度係数よりも大きくすることができる。したがって、重要領域内の画像と重要領域外の画像との間における画質の急激な変化を抑制することができるので、画質の低下を抑制しつつインクの消費量を削減することができる。
【０００８】
例えば、前記画像処理部は、（i）前記重要領域内の画素の濃度係数を予め定められた第１濃度係数に決定し、（ii）前記重要領域外の画素であって前記第１画像の境界部に位置する画素の濃度係数を、前記第１濃度係数よりも小さい予め定められた第２濃度係数に決定し、（iii）前記第１濃度係数と前記第２濃度係数とを用いて補間を行うことにより前記重要領域外の他の画素の濃度係数を決定し、（iv）決定された前記濃度係数に基づいて前記第１画像内の各画素の濃度を変換することにより前記第２画像を生成してもよい。
【０００９】
これによれば、重要領域内の画素の第１濃度係数と、画像の境界部に位置する画素の第２濃度係数とを用いて補間を行うことにより、他の画素の濃度係数を決定することができる。したがって、重要領域から画像の境界部に向かって濃度係数を徐々に減少させることができ、画像内における画質の急激な変化を抑制することができる。
【００１０】
例えば、前記画像処理部は、前記決定部が前記重要領域を複数決定した場合に、（i）複数の重要領域の各々について、（i-1）前記重要領域内の画素の濃度係数を予め定められた第１濃度係数に仮決定し、（i-2）前記重要領域外の画素であって前記第１画像の境界部に位置する画素の濃度係数を、前記第１濃度係数よりも小さい予め定められた第２濃度係数に仮決定し、（i-3）仮決定された前記第１濃度係数と前記第２濃度係数とを用いて補間を行うことにより前記重要領域外の他の画素の濃度係数を仮決定し、（ii）前記複数の重要領域内の画素の濃度係数を前記第１濃度係数に決定し、（iii）前記複数の重要領域外の画素であって前記第１画像の境界部に位置する画素の濃度係数を前記第２濃度係数に決定し、（iv）前記複数の重要領域外の他の各画素の濃度係数を、当該画素の仮決定された複数の濃度係数に基づいて決定し、（v）決定された前記濃度係数に基づいて前記第１画像内の各画素の濃度を変換することにより前記第２画像を生成してもよい。
【００１１】
これによれば、画像内に複数の重要領域が存在する場合にも、重要領域から境界部に向かって濃度係数を徐々に減少させることができ、画像内における画質の急激な変化を抑制することができる。
【００１２】
例えば、前記画像処理部は、前記重要領域が前記第１画像の少なくとも１つの境界線に接している場合に、前記第１画像の残りの境界線に隣接する画素の濃度係数を前記第２濃度係数に決定してもよい。
【００１３】
これによれば、重要領域が第１画像の少なくとも１つの境界線に接している場合に、重要領域が接している第１画像の境界線に隣接する画素の濃度係数を第２濃度係数に決定せずに、補間により濃度係数を決定することができる。したがって、重要領域内の画像と重要領域が接している第１画像の境界線近傍の画像との間における画質の急激な変化を抑制することができるので、画質の低下を抑制しつつインクの消費量を削減することができる。
【００１４】
例えば、前記印刷装置は、第１濃度係数及び第２濃度係数のセットがそれぞれ対応付けられた複数の削減モードを有し、前記決定部は、前記複数の削減モードのうちの現在の削減モードに対応する第１濃度係数及び第２濃度係数のセットを用いて、前記重要領域内及び前記重要領域外の画素の濃度係数を決定してもよい。
【００１５】
これによれば、削減モードに対応する第１濃度係数及び第２濃度係数のセットを用いて、濃度係数を決定することができる。したがって、削減モードによって第１濃度係数及び第２濃度係数のセットを使い分けることができる。つまり、削減モードが適切に設定されることにより、使用者あるいは原画像に適応した第１濃度係数及び第２濃度係数のセットを用いることができる。
【００１６】
例えば、前記決定部は、前記第１画像のインクの消費量に対する前記第２画像のインクの消費量の削減率が予め定められた目標削減率以上であるか否かを判定し、前記削減率が前記目標削減率未満である場合、前記重要領域を修正してもよい。
【００１７】
これによれば、インクの消費量の削減率が目標削減率未満である場合に重要領域を修正することができる。したがって、重要領域が適切でないためにインクの消費量を十分に削減できない場合に、重要領域を修正してインクの消費量を削減することができる。
【００１８】
例えば、前記印刷装置は、前記第１画像とともに前記第１画像の一部の領域を他の領域と区別して表示する表示部を備え、前記決定部は、表示された前記領域を前記重要領域に決定してもよい。
【００１９】
これによれば、表示された領域を重要領域に決定することができる。したがって、使用者は重要領域を確認することができ、使用者が画質の低下を抑制したい領域を重要領域に決定することができる。
【００２０】
本発明の一態様に係る印刷方法は、第１画像内の一部の領域である重要領域を決定する決定ステップと、前記重要領域に基づいて前記第１画像を処理して第２画像を生成する画像処理ステップと、前記第２画像を印刷する印刷ステップと、を含み、前記第１画像の濃度に対する前記第２画像の濃度の比率を示す濃度係数は、前記重要領域内の画素の方が前記重要領域外の画素よりも大きく、前記重要領域外の第１画素の濃度係数は、前記第１画素よりも前記重要領域から離れて位置する第２画素の濃度係数よりも大きい。
【００２１】
これによれば、上記印刷装置と同様の効果を奏することができる。
【００２２】
なお、これらの包括的又は具体的な態様は、システム、集積回路、コンピュータプログラム又はコンピュータ読み取り可能なＣＤ−ＲＯＭなどの記録媒体で実現されてもよく、システム、集積回路、コンピュータプログラム及び記録媒体の任意な組み合わせで実現されてもよい。
【発明の効果】
【００２３】
本発明の一態様に係る印刷装置及び印刷方法は、画質の低下を抑制しつつインクの消費量を削減することができる。
【図面の簡単な説明】
【００２４】
【図１】実施の形態１及び２に係る印刷装置の機能構成を示すブロック図である。
【図２】実施の形態１に係る印刷装置の処理の概要を示すフローチャートである。
【図３】実施の形態１における重要領域の決定のためのグラフィカルユーザーインターフェース（ＧＵＩ）の一例を示す図である。
【図４】実施の形態１及び２における画像処理を示すフローチャートである。
【図５】実施の形態１における濃度係数の決定処理を示すフローチャートである。
【図６Ａ】実施の形態１おける濃度係数の決定の一例を示す図である。
【図６Ｂ】実施の形態１おける濃度係数の決定の一例を示す図である。
【図６Ｃ】実施の形態１おける濃度係数の決定の一例を示す図である。
【図７Ａ】実施の形態１おける濃度係数の決定の他の一例を示す図である。
【図７Ｂ】実施の形態１おける濃度係数の決定の他の一例を示す図である。
【図７Ｃ】実施の形態１おける濃度係数の決定の他の一例を示す図である。
【図８Ａ】実施の形態１おける濃度係数の決定の他の一例を示す図である。
【図８Ｂ】実施の形態１おける濃度係数の決定の他の一例を示す図である。
【図８Ｃ】実施の形態１おける濃度係数の決定の他の一例を示す図である。
【図９Ａ】実施の形態１おける濃度係数の決定の他の一例を示す図である。
【図９Ｂ】実施の形態１おける濃度係数の決定の他の一例を示す図である。
【図９Ｃ】実施の形態１おける濃度係数の決定の他の一例を示す図である。
【図１０Ａ】実施の形態１おける原画像の一例を示す図である。
【図１０Ｂ】実施の形態１おける印刷用画像の一例を示す図である。
【図１０Ｃ】比較例おける印刷用画像の一例を示す図である。
【図１１】実施の形態１の変形例における濃度係数の決定処理を示すフローチャートである。
【図１２Ａ】実施の形態１の変形例おける濃度係数の決定の一例を示す図である。
【図１２Ｂ】実施の形態１の変形例おける濃度係数の決定の一例を示す図である。
【図１２Ｃ】実施の形態１の変形例おける濃度係数の決定の一例を示す図である。
【図１２Ｄ】実施の形態１の変形例おける濃度係数の決定の一例を示す図である。
【図１３】実施の形態２に係る印刷装置の処理の概要を示すフローチャートである。
【図１４】実施の形態２における濃度係数の決定処理を示すフローチャートである。
【図１５】実施の形態２における削減モード情報の一例を示す図である。
【図１６】実施の形態３に係る印刷システムの構成を示すブロック図である。
【図１７】実施の形態４に係る印刷システムの構成を示すブロック図である。
【図１８】実施の形態５に係る印刷装置の機能構成を示すブロック図である。
【図１９】他の実施の形態における重要領域の決定のためのＧＵＩの一例を示す図である。
【発明を実施するための形態】
【００２５】
以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、請求の範囲を限定する主旨ではない。また、以下の実施の形態における構成要素のうち、最上位概念を示す独立請求項に記載されていない構成要素については、任意の構成要素として説明される。
【００２６】
（実施の形態１）
まず、実施の形態１について図面を参照しながら具体的に説明する。
【００２７】
［印刷装置の構成］
図１は、実施の形態１及び２に係る印刷装置の機能構成を示すブロック図である。図１において、括弧内の符号は実施の形態２に係る印刷装置に適用される符号を示す。
【００２８】
実施の形態１に係る印刷装置１００は、原画像１０を処理して印刷用画像２０を生成し、生成した印刷用画像２０を媒体に印刷する。
【００２９】
なお、原画像１０及び印刷用画像２０は、画像又は画像データを意味する。原画像１０は、カラー画像及びモノクロ画像のどちらでもよく、文字及び記号を含んでもよい。
【００３０】
図１に示すように、印刷装置１００は、決定部１１０と、画像処理部１２０と、印刷部１３０と、入力部１４０と、表示部１５０と、を備える。以下に、印刷装置１００の各構成要素について詳細に説明する。
【００３１】
決定部１１０は、画像内の一部の領域である重要領域を決定する。本実施の形態では、決定部１１０は、入力部１４０を介して使用者から入力された情報に基づいて重要領域を決定する。重要領域とは、画像の中で閲覧者の注目を集める要素（以下、注目要素という）の領域を意味する。例えば画像が人物写真である場合、被写体の人物が注目要素である可能性が高い。また、その人物の外周部の景色は、被写体の人物よりも注目度合いは劣るため、注目要素でない可能性が高い。したがって、被写体の人物の領域が重要領域と設定される。また、画像が人物以外の写真又は画像である場合には、画像内の特長的な物体を注目要素と仮定し、その特長的な物体の領域が重要領域と設定されてもよい。
【００３２】
画像処理部１２０は、原画像を処理して印刷用画像を生成する。画像処理部１２０は、例えば、汎用プロセッサ及びメモリにより実現される。例えば、メモリに格納されたソフトウェアプログラムを汎用プロセッサが実行したときに、その汎用プロセッサが画像処理部１２０として機能する。また、画像処理部１２０は、画像処理専用の１以上の電子回路で実現されてもよい。図１に示すように、画像処理部１２０は、前処理部１２１と、色変換部１２２と、削減部１２３と、二値化部１２４と、を備える。
【００３３】
前処理部１２１は、原画像１０に前処理を施す。前処理は、レイアウト処理、ラスタライズ処理及びスケーリング処理などを含む。レイアウト処理は、画像の回転、複数の画像の１つの画像への割り付け、及び１つの画像から複数の画像への分割などを含む。ラスタライズ処理は、画像データをラスタデータに変換する。スケーリング処理は、画像の解像度（ｄｐｉ）を変換する。
【００３４】
色変換部１２２は、前処理後の画像に対して色変換を行う。つまり、色変換部１２２は、画像のカラーモデルを変換する。具体的には、色変換部１２２は、ＲＧＢカラーモデルの画像をＣＭＹＫカラーモデルの画像に変換する。
【００３５】
削減部１２３は、決定部１１０によって決定された重要領域に基づいて第１画像を処理して第２画像を生成する。すなわち、削減部１２３は、インクの消費量を削減するための画像処理を行う。具体的には、削減部１２３は、色変換部１２２によって色変換された画像（第１画像）の各色の濃度を場所によって異なる比率で減少させて第２画像を生成する。
【００３６】
このように削減部１２３によって生成される第２画像では、第１画像の濃度に対する第２画像の濃度の比率を示す濃度係数が、重要領域内の画素の方が重要領域外の画素よりも大きい。また、重要領域外の第１画素の濃度係数は、第１画素よりも重要領域から離れて位置する第２画素の濃度係数よりも大きい。
【００３７】
濃度とは、色の濃さを表す値であり、例えばシアン（Ｃ）、マゼンタ（Ｍ）、イエロー（Ｙ）及びブラック（Ｋ）の各々の濃さを表す値である。なお、この削減部１２３の処理の詳細については図５〜図９Ｃを用いて後述する。
【００３８】
二値化部１２４は、削減部１２３によって生成された画像（第２画像）を二値化する。つまり、二値化部１２４は、多階調の画像（多値画像）を二階調の画像（二値画像）に変換する。
【００３９】
印刷部１３０は、二値化部１２４によって二値化された画像を印刷する。つまり、印刷部１３０は、二値化された第２画像を印刷する。具体的には、印刷部１３０は、例えば、インクを用紙に定着させることにより、二値画像に対応する多数のドットを用紙に形成する。
【００４０】
入力部１４０は、使用者から画像の一部の領域の入力を受ける。具体的には、入力部１４０は、例えばタッチパネル、マウス又はキーボードである。
【００４１】
表示部１５０は、原画像１０又は前処理された画像とともに、当該画像内の一部の領域を他の領域と区別して表示する。具体的には、表示部１５０は、例えば液晶ディスプレイ又は有機ＥＬディスプレイである。また、入力部１４０及び表示部１５０は、一体化され、タッチスクリーンとして実現されてもよい。表示部１５０は、例えば領域の枠線を表示することにより、画像内の一部の領域を他の領域と区別して表示する。また、表示部１５０は、例えば、領域内と領域外とで色あるいは輝度を変えて、画像内の一部の領域を他の領域と区別して表示してもよい。
【００４２】
［印刷装置の処理］
次に、以上のように構成された印刷装置１００の処理について説明する。図２は、実施の形態１に係る印刷装置１００の処理の概要を示すフローチャートである。図３は、実施の形態１における重要領域の決定のためのＧＵＩの一例を示す図である。
【００４３】
まず、決定部１１０は、重要領域を決定する（Ｓ１１０）。例えば、図３に示すように、決定部１１０は、グラフィカルユーザーインターフェース（ＧＵＩ）３０を介して使用者から指定された領域３４を重要領域と決定する。図３のＧＵＩ３０は、領域の形状を決定するためのボタン群３１と、領域の指定方法を決定するためのボタン群３２と、第１画像３３とを含む。ボタン群３１では、重要領域の形状として、矩形、楕円形、角丸矩形などを選択することができる。また、ボタン群３２では、顔認識、個人認識及び文字認識による自動決定並びに手動決定のいずれかを選択することができる。
【００４４】
なお、重要領域は、所定の規則に基づいてあらかじめ定められてもよい。つまり、重要領域は、使用者の入力に関わらず自動的に決定されてもよい。例えば、決定部１１０は、最初に原画像１０の顔認識を行う。ここで、原画像１０から顔が認識された場合は、決定部１１０は、認識された顔周辺の領域を重要領域と決定する。一方、原画像１０から顔が認識されない場合、決定部１１０は、原画像１０の文字認識を行う。ここで、原画像１０から文字が認識された場合は、決定部１１０は、文字周辺の領域を重要領域と決定する。
【００４５】
図３では、領域の形状として矩形が選択されており、領域の決定方法として手動決定が選択されている。第１画像３３内に表示されている枠線によって示された矩形の領域３４は、枠線上のフィルハンドル３５を用いて領域３４の移動及び拡大／縮小が行われる。また、領域３４外の画像の輝度は減少されている。
【００４６】
また、ＧＵＩ３０は、削減モードのオフ及び複数の削減モード（ＥＣＯ１、ＥＣＯ２）のいずれかを設定するためのスライダー３６を含む。なお、複数の削減モードに関しては実施の形態２で説明し、本実施の形態では１つの削減モードについてのみ説明する。
【００４７】
画像処理部１２０は、重要領域に基づいて画像を処理する（Ｓ１２０）。最後に、印刷部１３０は、処理された画像を印刷する（Ｓ１３０）。
【００４８】
ここで、ステップＳ１２０の画像処理について、図４を参照しながら具体的に説明する。図４は、実施の形態１及び２における画像処理を示すフローチャートである。図４において、括弧内の符号は実施の形態２に適用される符号を示す。
【００４９】
前処理部１２１は、原画像１０に前処理を施す（Ｓ１２１）。つまり、前処理部１２１は、原画像１０に対して、レイアウト処理、ラスタライズ処理及びスケーリング処理などを行う。
【００５０】
色変換部１２２は、前処理された画像に対して色変換を行う（Ｓ１２２）。例えば、色変換部１２２は、前処理されたＲＧＢカラーモデルの画像をＣＭＹＫカラーモデルの画像に変換する。
【００５１】
画像処理部１２０は、削減モードがオンであるか否かを判定する（Ｓ１２３）。ここで、削減モードがオンである場合（Ｓ１２３のＹｅｓ）、削減部１２３は、重要領域に基づいて各画素の濃度係数を決定する（Ｓ１２４）。この濃度係数は、色変換された画像（第１画像）の濃度に対する、削減部１２３による処理結果の画像（第２画像）の濃度の比率を示す。濃度係数の決定の詳細については図５〜図９Ｃを用いて後述する。
【００５２】
削減部１２３は、決定された濃度係数に基づいて第１画像の濃度を変換して第２画像を生成する（Ｓ１２５）。つまり、削減部１２３は、第１画像の濃度を減少させて第２画像を生成する。具体的には、削減部１２３は、第１画像の各画素の濃度値に、当該画素に対応する画素の濃度係数を乗算することにより、第２画像の各画素の濃度値を算出する。
【００５３】
最後に、二値化部１２４は、第２画像を二値化する（Ｓ１２６）。ここでは、二値化方法は、特に限定されない。例えば、平均ディザリング、無作為ディザリング、濃度パターンディザリング、配列ディザリング及び誤差拡散ディザリングのうちのいずれかが二値化に用いられてもよい。
【００５４】
次に、ステップＳ１２４の濃度係数の決定処理について、図５〜図９Ｃを参照しながら具体的に説明する。図５は、実施の形態１における濃度係数の決定処理を示すフローチャートである。図６Ａ〜図６Ｃは、実施の形態１おける濃度係数の決定の一例を示す図である。図６Ａ〜図６Ｃ及び以降の同様の図面において、行列状に配置された複数の矩形領域は画素を表し、画素内の値は濃度係数を表す。
【００５５】
まず、削減部１２３は、重要領域内の画素の濃度係数を予め定められた第１濃度係数に決定する（Ｓ１２４１）。例えば図６Ａに示すように、削減部１２３は、重要領域４１内の各画素の濃度係数を「０．８」に決定する。
【００５６】
削減部１２３は、重要領域外の画素であって画像の境界部に位置する各画素の濃度係数を、第１濃度係数よりも小さい予め定められた第２濃度係数に決定する（Ｓ１２４２）。例えば図６Ｂに示すように、削減部１２３は、重要領域４１外の画像の境界部に位置する画素４２の濃度係数を「０．２」に決定する。
【００５７】
削減部１２３は、第１濃度係数と第２濃度係数とを用いて補間を行うことにより重要領域外の他の画素の濃度係数を決定する（Ｓ１２４３）。例えば図６Ｃに示すように、削減部１２３は、第１濃度係数「０．８」と第２濃度係数「０．２」とを用いて補間を行うことにより、重要領域４１外の他の画素４３の濃度係数を「０．５（＝０．２＋（０．８−０．２）／２）」と決定し、重要領域４１外の他の画素４４の濃度係数を「０．３５（＝０．２＋（０．５−０．２）／２）」と決定する。
【００５８】
以上のように決定された重要領域外の第１画素（例えば画素４３、４４）の濃度係数（例えば０．５）は、第１画素よりも重要領域から離れて位置する第２画素（例えば画素４２）の濃度係数（例えば０．２）よりも大きい。
【００５９】
ここで決定される濃度係数の他の一例について図７Ａ〜図７Ｃを参照しながら具体的に説明する。図７Ａ〜図７Ｃは、実施の形態１おける濃度係数の決定の他の一例を示す図である。
【００６０】
図７Ａ〜図７Ｃの例では、重要領域５１が画像の１つの境界線５２Ａに接している。このような場合、削減部１２３は、図７Ａに示すように重要領域５１内の画素の濃度係数を第１濃度係数（「０．８」）に決定した後に、図７Ｂに示すように画像の残りの境界線５２Ｂ〜５２Ｄに隣接する画素の濃度係数を第２濃度係数（「０．２」）に決定する。そして、削減部１２３は、図７Ｃに示すように、第１濃度係数と第２濃度係数とを用いて補間を行うことにより重要領域外の他の画素の濃度係数を決定する。
【００６１】
また、決定される濃度係数の他の一例について図８Ａ〜図８Ｃを参照しながら具体的に説明する。図８Ａ〜図８Ｃは、実施の形態１おける濃度係数の決定の他の一例を示す図である。
【００６２】
図８Ａ〜図８Ｃの例では、重要領域６１が画像の２つの境界線６２Ａ、６２Ｂに接している。このような場合、削減部１２３は、図８Ａに示すように重要領域６１内の画素の濃度係数を第１濃度係数（「０．８」）に決定した後に、図８Ｂに示すように画像の残りの境界線６２Ｃ、６２Ｄに隣接する画素の濃度係数を第２濃度係数（「０．２」）に決定する。そして、削減部１２３は、図８Ｃに示すように、第１濃度係数と第２濃度係数とを用いて補間を行うことにより重要領域外の他の画素の濃度係数を決定する。
【００６３】
さらに、決定される濃度係数の他の一例について図９Ａ〜図９Ｃを参照しながら具体的に説明する。図９Ａ〜図９Ｃは、実施の形態１おける濃度係数の決定の他の一例を示す図である。
【００６４】
図９Ａ〜図９Ｃの例では、重要領域７１が画像の３つの境界線７２Ａ〜７２Ｃに接している。このような場合、削減部１２３は、図９Ａに示すように重要領域７１内の画素の濃度係数を第１濃度係数（「０．８」）に決定した後に、図９Ｂに示すように画像の残りの境界線７２Ｄに隣接する画素の濃度係数を第２濃度係数（「０．２」）に決定する。そして、削減部１２３は、図９Ｃに示すように、第１濃度係数と第２濃度係数とを用いて補間を行うことにより重要領域外の他の画素の濃度係数を決定する。
【００６５】
［効果］
以上のように、本実施の形態に係る印刷装置１００によれば、重要領域内の画素の濃度係数を重要領域外の画素の濃度係数よりも大きくすることができる。したがって、重要領域の濃度の低下を抑制しつつ、画像全体として濃度を低減することができる。その結果、重要領域の画質の低下を抑制しつつ画像全体におけるインクの消費量を削減することができる。さらに、重要領域外の第１画素の濃度係数を第１画素よりも重要領域から離れて位置する第２画素の濃度係数よりも大きくすることができる。したがって、重要領域内の画像と重要領域外の画像との間における画質の急激な変化を抑制することができるので、画質の低下を抑制しつつインクの消費量を削減することができる。
【００６６】
また、本実施の形態に係る印刷装置１００によれば、重要領域内の画素の第１濃度係数と、画像の境界部に位置する画素の第２濃度係数とを用いて補間を行うことにより、他の画素の濃度係数を決定することができる。したがって、重要領域から画像の境界部に向かって濃度係数を徐々に減少させることができ、画像内における画質の急激な変化を抑制することができる。
【００６７】
また、本実施の形態に係る印刷装置１００によれば、重要領域が第１画像の少なくとも１つの境界線に接している場合に、重要領域が接している第１画像の境界線に隣接する画素の濃度係数を第２濃度係数に決定せずに、補間により濃度係数を決定することができる。したがって、重要領域内の画像と重要領域が接している第１画像の境界線近傍の画像との間における画質の急激な変化を抑制することができるので、画質の低下を抑制しつつインクの消費量を削減することができる。
【００６８】
また、本実施の形態に係る印刷装置１００によれば、表示された領域を重要領域に決定することができる。したがって、使用者は重要領域を確認することができ、使用者が画質の低下を抑制したい領域を重要領域に決定することができる。
【００６９】
ここで、本実施の形態に係る印刷装置１００による効果について画像を参照しながら説明する。図１０Ａは、実施の形態１おける原画像の一例を示す図である。図１０Ｂは、実施の形態１における印刷用画像の一例を示す図である。図１０Ｃは、比較例における印刷用画像の一例を示す図である。
【００７０】
図１０Ｂでは、画像の中央領域（顔領域）が重要領域に決定されている。図１０Ｃでは、重要領域に関わらず、画像内の全ての画素の濃度を一定の濃度係数で低減することにより、図１０Ｂと同一のインクの消費量の削減率を実現している。
【００７１】
図１０Ｂでは、顔領域の画質の低下が抑制されており、画像全体としての画質が図１０Ｃよりも向上している。また、図１０Ｂでは、顔領域から境界部に向けて徐々に濃度が低下しており、インクの消費量の低減による画像内における画質の急激な変化もないことがわかる。
【００７２】
（実施の形態１の変形例）
上記実施の形態１では、１つの重要領域について説明したが、画像には複数の重要領域が含まれてもよい。この場合には、上記実施の形態１と濃度係数の決定処理が異なる。以下に、上記実施の形態１と異なる点を中心に実施の形態１の変形例について説明する。
【００７３】
［印刷装置の処理］
印刷装置１００の処理の概要は、実施の形態１と同一であるので図示及び説明を省略し、本変形例に特有の濃度係数の決定処理について図１１を参照しながら具体的に説明する。図１１は、実施の形態１の変形例における濃度係数の決定処理を示すフローチャートである。図１２Ａ〜図１２Ｄは、実施の形態１の変形例おける濃度係数の決定の一例を示す図である。なお、図１１において、図５と実質的に同一の処理については同一の符号を付し、適宜説明を省略する。
【００７４】
削減部１２３は、重要領域が複数存在するか否かを判定する（Ｓ２２４１）。ここで、重要領域が１つしか存在しない場合（Ｓ２２４１のＮｏ）、ステップＳ１２４１〜ステップＳ１２４３が実行され、処理を終了する。一方、重要領域が複数存在する場合（Ｓ２２４１のＹｅｓ）、削減部１２３は、複数の重要領域のうち、未選択の重要領域を選択する（Ｓ２２４２）。
【００７５】
削減部１２３は、選択された重要領域内の画素の濃度係数を予め定められた第１濃度係数に仮決定する（Ｓ２２４３）。続いて、削減部１２３は、選択された重要領域外の画素であって画像の境界部に位置する画素の濃度係数を、第１濃度係数よりも小さい予め定められた第２濃度係数に仮決定する（Ｓ２２４４）。そして、削減部１２３は、仮決定された第１濃度係数と第２濃度係数とを用いて補間を行うことにより、選択された重要領域外の他の画素の濃度係数を仮決定する（Ｓ２２４５）。
【００７６】
削減部１２３は、全ての重要領域が選択されたか否かを判定する（Ｓ２２４６）。いずれかの重要領域が選択されていない場合（Ｓ２２４６のＮｏ）、ステップＳ２２４２に戻る。これにより、削減部１２３は、複数の重要領域の各々について、ステップＳ２２４３〜ステップＳ２２４５の処理を実行することができる。つまり、削減部１２３は、複数の重要領域の各々について、画像内の各画素の濃度係数を仮決定することができる。
【００７７】
例えば、図１２Ａにおいて重要領域８１Ａが選択された場合、図１２Ｂに示すように、重要領域８１Ａ内の画素の濃度係数が「０．８」に仮決定され、境界部の画素の濃度係数が「０．２」に仮決定され、他の画素の濃度係数が補間により仮決定される。また、重要領域８１Ｂが選択された場合には、図１２Ｃに示すように各画素の濃度係数が仮決定される。
【００７８】
全ての重要領域が選択された場合（Ｓ２２４６のＹｅｓ）、削減部１２３は、複数の重要領域内の画素の濃度係数を予め定められた第１濃度係数に決定する（Ｓ２２４７）。例えば図１２Ｄに示すように、削減部１２３は、複数の重要領域８１Ａ、８１Ｂ内の各画素の濃度係数を「０．８」に決定する。
【００７９】
削減部１２３は、複数の重要領域外の画素であって画像の境界部に位置する画素の濃度係数を、第１濃度係数よりも小さい予め定められた第２濃度係数に決定する（Ｓ２２４８）。例えば図１２Ｄに示すように、削減部１２３は、境界部に位置する画素の濃度係数を「０．２」に決定する。
【００８０】
削減部１２３は、複数の重要領域外の他の各画素の濃度係数を、当該画素の仮決定された複数の濃度係数に基づいて決定する（Ｓ２２４９）。例えば図１２Ｄに示すように、削減部１２３は、複数の重要領域８１Ａ、８１Ｂ外の他の画素の各々について、仮決定された複数の濃度係数の平均値を当該画素の濃度係数と決定する。具体的には、削減部１２３は、例えば画素８２の濃度係数を、重要領域８１Ａについて仮決定された画素８２の濃度係数「０．５６」と、重要領域８１Ｂについて仮決定された画素８２の濃度係数「０．３２」との平均値「０．４４」に決定する。
【００８１】
［効果］
以上のように、本変形例に係る印刷装置１００によれば、画像内に複数の重要領域が存在する場合にも、重要領域から境界部に向かって濃度係数を徐々に減少させることができ、画像内における画質の急激な変化を抑制することができる。
【００８２】
（実施の形態２）
次に、実施の形態２について説明する。実施の形態２では、印刷装置が複数の削減モードを有する点が上記実施の形態１と異なる。以下に、本実施の形態について実施の形態１と異なる点を中心に説明する。
【００８３】
［印刷装置の構成］
実施の形態２に係る印刷装置２００は、第１濃度係数及び第２濃度係数のセットがそれぞれ対応付けられた複数の削減モードを有する。図１に示すように、印刷装置２００は、決定部２１０と、画像処理部２２０と、印刷部１３０と、入力部２４０と、表示部２５０と、を備える。
【００８４】
決定部２１０は、実施の形態１と同様に重要領域を決定する。さらに、本実施の形態に係る決定部２１０は、第１画像のインクの消費量に対する第２画像のインクの消費量の削減率が予め定められた目標削減率以上であるか否かを判定する。ここで、インクの消費量の削減率が目標削減率未満である場合、決定部２１０は、重要領域を修正する。例えば、決定部２１０は、重要領域を縮小する。
【００８５】
第１画像のインクの消費量に対する第２画像のインクの消費量の削減率とは、第１画像の印刷によるインクの消費量（以下、第１消費量という）に対するインクの削減量の比率である。インクの削減量は、第１消費量から、第２画像の印刷によるインクの消費量（以下、第２消費量という）を減算して得られる。第１消費量及び第２消費量は、それぞれ、第１画像及び第２画像に基づいて推定される。
【００８６】
画像処理部２２０は、原画像を処理して印刷用画像を生成する。画像処理部１２０は、例えば、汎用プロセッサ及びメモリにより実現される。例えば、メモリに格納されたソフトウェアプログラムを汎用プロセッサが実行したときに、その汎用プロセッサが画像処理部２２０として機能する。また、画像処理部２２０は、画像処理専用の１以上の電子回路で実現されてもよい。図１に示すように、画像処理部２２０は、前処理部１２１と、色変換部１２２と、削減部２２３と、二値化部１２４と、を備える。
【００８７】
削減部２２３は、複数の削減モードのうちの現在の削減モードに対応する第１濃度係数及び第２濃度係数のセットを用いて、重要領域内及び重要領域外の画素の濃度係数を決定する。つまり、削減部２２３は、第２画像の生成に用いる第１濃度係数及び第２濃度係数を削減モードに応じて変更する。
【００８８】
入力部２４０は、使用者から画像の一部の領域の入力を受ける。また、入力部２４０は、インクの消費量の削減率が目標削減率未満であると判定された場合に、使用者から領域の修正の入力を受ける。
【００８９】
表示部２５０は、原画像１０又は前処理された画像とともに、当該画像内の一部の領域を他の領域と区別して表示する。また、表示部２５０は、インクの消費量の削減率が目標削減率未満であると判定された場合に、領域の修正を促すメッセージを表示してもよい。また、表示部２５０は、インクの消費量の削減率が目標削減率未満であると判定された場合に、領域と他の領域との区別表示をキャンセルしてもよい。
【００９０】
［印刷装置の処理］
次に、以上のように構成された印刷装置２００の処理について説明する。図１３は、実施の形態２に係る印刷装置２００の処理の概要を示すフローチャートである。
【００９１】
まず、決定部２１０は、重要領域及び削減モードを決定する（Ｓ３１０）。例えば、図３に示すように、決定部２１０は、ＧＵＩ３０を介して使用者から指定された領域３４を重要領域と決定し、使用者から指定された削減モード（ＥＣＯ１又はＥＣＯ２）を決定する。
【００９２】
画像処理部２２０は、重要領域に基づいて画像を処理する（Ｓ３２０）。そして、決定部２１０は、処理された画像におけるインクの消費量の削減率を推定し（Ｓ３３０）、インクの消費量の削減率が目標削減率以上であるか否かを判定する（Ｓ３４０）。
【００９３】
本実施の形態では、目標削減率は、削減モードに対応付けられている。したがって、決定部２１０は、決定された削減モードに対応する目標削減率を用いて、インクの消費量の削減率の判定を行う。
【００９４】
ここで、インクの消費量の削減率が目標削減率未満である場合（Ｓ３４０のＮｏ）、決定部２１０は、重要領域を再決定する（Ｓ３１０）。つまり、決定部２１０は、重要領域を修正する。例えば、インクの消費量の削減率が目標削減率未満である場合に、表示部２５０は、使用者に重要領域の修正を促すメッセージを表示する。これにより、表示されている領域が使用者によって修正され、その結果、重要領域が修正される。
【００９５】
一方、インクの消費量の削減率が目標削減率以上である場合（Ｓ３４０のＹｅｓ）、印刷部１３０は、処理された画像を印刷する（Ｓ１３０）。
【００９６】
なお、ステップＳ３２０の画像処理については、図４に示すように濃度係数の決定処理（Ｓ３２４）を除いて実施の形態１と実質的に同一であるので、濃度係数の決定処理についてのみ図１４及び図１５を参照しながら具体的に説明する。
【００９７】
図１４は、実施の形態２における濃度係数の決定処理を示すフローチャートである。図１５は、実施の形態２における削減モード情報の一例を示す図である。なお、図１４において、図５と実質的に同一の処理については、同一の符号を付し、適宜説明を省略する。
【００９８】
まず、削減部２２３は、現在の削減モード（決定された削減モード）に対応する第１濃度係数及び第２濃度係数のセットを取得する（Ｓ３２４１）。例えば、削減部２２３は、記憶部（図示せず）に格納された削減モード情報を参照して、現在の削減モードに対応する第１濃度係数及び第２濃度係数のセットを取得する。
【００９９】
削減モード情報は、複数の削減モードと、第１濃度係数及び第２濃度係数のセットとを対応付ける。例えば、図１５に示すように、削減モード情報は、削減モード、第１濃度係数、第２濃度係数及び目標削減率の項目を含むテーブルである。図１５では、削減モード「ＥＣＯ１」に対して、第１濃度係数「０．８」、第２濃度係数「０．２」、及び、目標削減率「５０％」が対応付けられており、削減モード「ＥＣＯ２」に対して、第１濃度係数「１．０」、第２濃度係数「０．６」、及び、目標削減率「２０％」が対応付けられている。
【０１００】
削減部２２３は、取得された第１濃度係数及び第２濃度係数のセットを用いて、重要領域内及び重要領域外の各画素の濃度係数を決定する（Ｓ１２４１〜Ｓ１２４３）。
【０１０１】
［効果］
以上のように、本実施の形態に係る印刷装置２００によれば、削減モードに対応する第１濃度係数及び第２濃度係数のセットを用いて、濃度係数を決定することができる。したがって、削減モードによって第１濃度係数及び第２濃度係数のセットを使い分けることができる。つまり、削減モードが適切に設定されることにより、使用者あるいは原画像に適応した第１濃度係数及び第２濃度係数のセットを用いることができる。
【０１０２】
また、本実施の形態に係る印刷装置２００によれば、インクの消費量の削減率が目標削減率未満である場合に重要領域を修正することができる。したがって、重要領域が適切でないためにインクの消費量を十分に削減できない場合に、重要領域を修正してインクの消費量を削減することができる。
【０１０３】
（実施の形態３）
次に、実施の形態３について説明する。本実施の形態では、上記実施の形態１に係る印刷装置に含まれるいくつかの機能が印刷装置に接続された情報端末に含まれる。以下に、本実施の形態について実施の形態１と異なる点を中心に説明する。
【０１０４】
図１６は、実施の形態３に係る印刷システムの構成を示すブロック図である。図１６において、図１と実質的に同一の機能を有する構成要素については、同一の符号を付し、適宜説明を省略する。
【０１０５】
本実施の形態に係る印刷システムは、情報端末３００Ａと印刷装置３００Ｂとを備える。
【０１０６】
情報端末３００Ａは、例えば、タブレットコンピュータ、スマートフォン又はパーソナルコンピュータである。情報端末３００Ａは、通信ネットワークを介して印刷装置３００Ｂに接続されている。
【０１０７】
情報端末３００Ａは、図１６に示すように、決定部１１０と、画像処理部１２０と、入力部１４０と、表示部１５０と、を備える。情報端末３００Ａは、原画像１０を処理して印刷用画像２０を印刷装置３００Ｂに送信する。
【０１０８】
印刷装置３００Ｂは、図１６に示すように、印刷部１３０を備える。印刷装置３００Ｂは、情報端末３００Ａから受信した印刷用画像２０を媒体に印刷する。
【０１０９】
以上のように、本実施の形態に係る印刷システムによれば、実施の形態１と同様の効果を、情報端末３００Ａ及び印刷装置３００Ｂを用いて実現することができる。
【０１１０】
（実施の形態４）
次に、実施の形態４について説明する。本実施の形態では、上記実施の形態３と同様に、上記実施の形態１に係る印刷装置に含まれるいくつかの機能が印刷装置に接続された情報端末に含まれる。なお、上記実施の形態３とは、決定部及び画像処理部の配置が異なる。以下に、本実施の形態について実施の形態１と異なる点を中心に説明する。
【０１１１】
図１７は、実施の形態４に係る印刷システムの構成を示すブロック図である。図１７において、図１と実質的に同一の機能を有する構成要素については、同一の符号を付し、適宜説明を省略する。
【０１１２】
本実施の形態に係る印刷システムは、情報端末４００Ａと印刷装置４００Ｂとを備える。
【０１１３】
情報端末４００Ａは、図１７に示すように、入力部１４０と、表示部１５０と、を備える。情報端末４００Ａは、入力部１４０を介して使用者から入力された重要領域の情報を印刷装置４００Ｂに送信する。
【０１１４】
印刷装置４００Ｂは、決定部２１０と、画像処理部１２０と、印刷部１３０と、を備える。印刷装置４００Ｂは、情報端末４００Ａから受信した重要領域の情報に基づいて原画像１０を処理して印刷用画像２０を生成し媒体に印刷する。
【０１１５】
以上のように、本実施の形態に係る印刷システムによれば、実施の形態１と同様の効果を、情報端末４００Ａ及び印刷装置４００Ｂを用いて実現することができる。
【０１１６】
（実施の形態５）
次に、実施の形態５について説明する。本実施の形態では、印刷装置が読取部を備える点が上記実施の形態１と異なる。以下に、本実施の形態について実施の形態１と異なる点を中心に説明する。
【０１１７】
図１８は、実施の形態５に係る印刷装置５００の機能構成を示すブロック図である。図１８において、図１と実質的に同一の機能を有する構成要素については、同一の符号を付し、適宜説明を省略する。
【０１１８】
実施の形態５に係る印刷装置５００は、決定部１１０と、画像処理部１２０と、印刷部１３０と、入力部１４０と、表示部１５０と、読取部５１０と、を備える。
【０１１９】
読取部５１０は、例えばイメージスキャナーであり、媒体に形成された画像を読み取り、原画像データを生成する。
【０１２０】
以上のように、本実施の形態に係る印刷装置５００によれば、読取部５１０を備えることができ、いわゆる複合機において実施の形態１と同様の効果を実現することができる。
【０１２１】
（他の実施の形態）
以上、本発明の１つ又は複数の態様に係る印刷装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の１つ又は複数の態様の範囲内に含まれてもよい。
【０１２２】
例えば、上記実施の形態２と上記実施の形態３〜５のいずれかとが組み合わされてもよい。つまり、上記実施の形態２におけるいくつかの機能は、情報端末に含まれてもよい。
【０１２３】
なお、上記各実施の形態において、重要領域内の複数の画素において濃度係数は一定であったが、これに限らない。例えば、重要領域内において、画素と重要領域の中心との距離が増加するほど当該画素の濃度係数が減少してもよい。
【０１２４】
なお、上記各実施の形態では、画素単位で濃度係数が決定されていたが、画素の集合（ブロック）単位で濃度係数が決定されてもよい。
【０１２５】
なお、上記各実施の形態では、重要領域内の画素及び境界部の画素の濃度係数が決定された後に他の画素の濃度係数が補間されていたが、濃度係数の決定方法はこれに限らない。例えば、重要領域からの距離に比例して各画素の濃度係数が決定されてもよい。つまり、画素と重要領域との距離が増加するほど当該画素の濃度係数が減少するように濃度係数が決定されてもよい。
【０１２６】
なお、上記各実施の形態では、図３に示すように、ＧＵＩ３０においてフィルハンドル３５を用いて領域の移動及び拡大／縮小が行われていたが、領域の入力方法はこれに限らない。例えば、図１９に示すように、スライダーによって領域の境界線の位置が入力されてもよい。
【０１２７】
図１９は、他の実施の形態における重要領域の決定のためのＧＵＩの一例を示す図である。ＧＵＩ９０では、第１画像９１とともに、領域９２が他の領域と区別されて表示されている。ＧＵＩ９０は、スライダー９３Ａ、９３Ｂ、９４Ａ、９４Ｂを含む。スライダー９３Ａ、９３Ｂは、水平方向にスライド可能であり、領域９２の垂直境界線の位置を入力する。また、スライダー９４Ａ、９４Ｂは、垂直方向にスライド可能であり、領域９２の水平境界線の位置を入力する。これらのスライダー９３Ａ、９３Ｂ、９４Ａ、９４Ｂを移動させることにより、領域９２の移動及び拡大／縮小が行われる。
【０１２８】
なお、上記各実施の形態では、入力部を介して使用者が重要領域の入力を行っていたが、必ずしも使用者の入力は必要ではない。例えば、使用者の入力なしに、顔認識、個人認識、物体認識又は文字認識などを用いて自動的に抽出された領域が重要領域として決定されてもよい。
【０１２９】
なお、上記各実施の形態では、原画像に対して前処理及び色変換が行われていたが、これらの処理は必ずしも必要ではない。例えば、原画像が、前処理済み、かつ、色変換済みの画像である場合は、前処理及び色変換が省略される。この場合は、画像処理部は、前処理部及び色変換部を含まなくてもよい。また、画像処理部は、二値化部を含まなくてもよい。
【産業上の利用可能性】
【０１３０】
本発明は、印刷装置として利用することができる。
【符号の説明】
【０１３１】
１０  原画像
２０  印刷用画像
３０、９０  グラフィカルユーザーインターフェース（ＧＵＩ）
３１、３２  ボタン群
３３、９１  第１画像
３４、９２  領域
３５  フィルハンドル
３６、９３Ａ、９３Ｂ、９４Ａ、９４Ｂ  スライダー
４１、５１、６１、７１、８１Ａ、８１Ｂ  重要領域
４２、４３、４４、８２  画素
５２Ａ、５２Ｂ、５２Ｃ、５２Ｄ、６２Ａ、６２Ｂ、６２Ｃ、６２Ｄ、７２Ａ、７２Ｂ、７２Ｃ、７２Ｄ  境界線
１００、２００、３００Ｂ、４００Ｂ、５００  印刷装置
１１０、２１０  決定部
１２０、２２０  画像処理部
１２１  前処理部
１２２  色変換部
１２３、２２３  削減部
１２４  二値化部
１３０  印刷部
１４０、２４０  入力部
１５０、２５０  表示部
３００Ａ、４００Ａ  情報端末
５１０  読取部
【図１】
2018182454.tif 000003
【図２】
2018182454.tif 000004
【図３】
2018182454.tif 000005
【図４】
2018182454.tif 000006
【図５】
2018182454.tif 000007
【図６Ａ】
2018182454.tif 000008
【図６Ｂ】
2018182454.tif 000009
【図６Ｃ】
2018182454.tif 000010
【図７Ａ】
2018182454.tif 000011
【図７Ｂ】
2018182454.tif 000012
【図７Ｃ】
2018182454.tif 000013
【図８Ａ】
2018182454.tif 000014
【図８Ｂ】
2018182454.tif 000015
【図８Ｃ】
2018182454.tif 000016
【図９Ａ】
2018182454.tif 000017
【図９Ｂ】
2018182454.tif 000018
【図９Ｃ】
2018182454.tif 000019
【図１０Ａ】
2018182454.tif 000020
【図１０Ｂ】
2018182454.tif 000021
【図１０Ｃ】
2018182454.tif 000022
【図１１】
2018182454.tif 000023
【図１２Ａ】
2018182454.tif 000024
【図１２Ｂ】
2018182454.tif 000025
【図１２Ｃ】
2018182454.tif 000026
【図１２Ｄ】
2018182454.tif 000027
【図１３】
2018182454.tif 000028
【図１４】
2018182454.tif 000029
【図１５】
2018182454.tif 000030
【図１６】
2018182454.tif 000031
【図１７】
2018182454.tif 000032
【図１８】
2018182454.tif 000033
【図１９】
2018182454.tif 000034